(57)【要約】【課題】実装誤差を伴って配置された発光素子から放射されるレーザー光の光路を適切に補正することを可能とする光ピックアップ装置を提供する。【解決手段】本発明では、レーザー光を放射するレーザー装置とＰＤＩＣとの間に、第１レーザー光の進行方向を傾斜させるＤＯＥ４０をホルダ６４に保持された状態で配置している。ホルダ６４は、ハウジング５０の内部にて移動可能な状態で配置されていることから、このホルダ６０を光路沿いに直進または回転させることにより、第１レーザー光の光路を適切に補正することが可能となる。【選択図】図４
2013196734.tif 000002
【特許請求の範囲】
【請求項１】
ハウジングと、
第１発光源から第１レーザー光を放射する第１発光素子と、前記第１レーザー光とは波長が異なる第２レーザー光および第３レーザ光を第２発光源および第３発光源から放射する第２発光素子とを有するレーザー装置と、
前記第１レーザ光および前記第２レーザ光を受光する第１受光領域と、前記第３レーザ光を受光する第２受光領域とを有する受光素子と、
前記レーザ装置と前記受光素子との間に配置されて、前記受光素子の前記第１受光領域に前記第１レーザ光が照射されるように前記第１レーザ光の進行方向を傾斜させる光学補正素子と、
前記光学補正素子を保持するホルダと、を具備し、
前記ホルダは、弾性部材により押圧されることで、移動可能な状態で前記ハウジングに収納されることを特徴とする光ピックアップ装置。
【請求項２】
前記ハウジングに面する前記ホルダには、前記ハウジングに接近する方が狭まる形状の接触面が設けられ、
前記ホルダの前記接触面が収納される前記ハウジングには、前記ホルダに接近する方が広がる形状の傾斜面が設けられ、
前記弾性部材の押圧力により、前記ホルダの前記接触面が、前記ハウジングの前記傾斜面に接触することを特徴とする請求項１に記載の光ピックアップ装置。
【請求項３】
前記弾性部材で押圧された状態の前記ホルダは、前記レーザー光の光路に沿う方向に移動可能であることを特徴とする請求項１または請求項２に記載の光ピックアップ装置。
【請求項４】
前記弾性部材で押圧された状態の前記ホルダは、前記レーザー光の光路を中心に回転可能であることを特徴とする請求項１から請求項３の何れかに記載の光ピックアップ装置。
【請求項５】
前記弾性部材により被覆されない前記ホルダの表面には、溝が設けられることを特徴とする請求項１から請求項４の何れかに記載の光ピックアップ装置。
【請求項６】
前記弾性部材は、前記ハウジングに固定されたバネ板であることを特徴とする請求項１から請求項５の何れかに記載の光ピックアップ装置。
【請求項７】
第１発光源から第１レーザー光を放射する第１発光素子と、前記第１レーザー光とは波長が異なる第２レーザー光および第３レーザ光を第２発光源及び第３発光源から放射する第２発光素子とを有するレーザー装置と、前記第１レーザ光および前記第２レーザ光を受光する第１受光領域と、前記第３レーザ光を受光する第２受光領域とを有する受光素子とをハウジングに収納する工程と、
前記第２レーザー光が前記第１受光領域の所定領域に照射され、前記第３レーザー光が前記第２受光領域の所定領域に照射されるように、前記レーザー装置と前記受光素子との相対的な位置を調整する工程と、
前記第１レーザー光が前記第１受光領域の所定領域に照射されるように、前記第１レーザー光の進行方向を傾斜させる光学補正素子の位置を調整する工程と、を具備し、
前記光学補正素子の位置を調整する工程では、前記光学補正素子を保持するホルダを光路の途中に配置し、弾性部材の押圧力により前記ハウジングに収納させた前記ホルダを移動させることにより、前記第１レーザー光を前記第１受光領域の所定箇所に照射させることを特徴とする光ピックアップ装置の製造方法。
【請求項８】
前記ホルダを前記第１レーザー光の光路に沿って移動させることで、前記第１レーザー光を前記第１受光領域の所定箇所に照射させることを特徴とする請求項７に記載の光ピックアップ装置の製造方法。
【請求項９】
前記ホルダを回転させることで、前記第１レーザー光を前記第１受光領域の所定箇所に照射させることを特徴とする請求項７または請求項８に記載の光ピックアップ装置の製造方法。
【発明の詳細な説明】
【技術分野】
【０００１】
本発明は光ピックアップ装置およびその製造方法に関し、特に、レーザー光を放射する発光素子を複数備えた光ピックアップ装置およびその製造方法に関する。
【背景技術】
【０００２】
複数の光記録媒体に対応する光ピックアップ装置にあっては、小型／軽量化等を目的として様々な工夫がなされており、例えば多数の波長のレーザーに対して互換性を備える対物レンズが採用されている。また、この種の光ピックアップ装置では、複数の波長のレーザーダイオード（発光素子）を１つのパッケージとしたレーザー装置を採用するものが存在する。
【０００３】
この様に１つのパッケージであるレーザー装置に、複数の波長のレーザーダイオードを収納させることにより、光ピックアップ装置の部品点数が削減されて、コストダウンが実現される（例えば特許文献１を参照）。
【先行技術文献】
【特許文献】
【０００４】
【特許文献１】特開２００２−１６３８３７号公報
【発明の概要】
【発明が解決しようとする課題】
【０００５】
しかしながら、レーザー装置の内部に複数個の発光素子を収納させると、発光素子を実装する際に発生する実装誤差に起因して、個別の発光素子に備えられる発光源同士の距離が不均一になる。一般的に、発光素子を実装する工程での誤差は±１０μｍ程度であり、この範囲で発光源同士の距離に誤差が発生すると、この誤差が光ピックアップ装置に大きな悪影響を与える。
【０００６】
特に、ＢＤレーザー光を放射する発光素子は、ＤＶＤレーザー光やＣＤレーザー光を発生させる発光素子とは基板の材料が異なる。このことから、これらのメディアに適用される光ピックアップ装置に於いては、少なくとも、ＢＤ用の発光素子と、ＤＶＤおよびＣＤ用の発光素子が必要とされる。従って、発光素子を実装する際の実装誤差を何らかの対策により吸収しなければ、メディアへの情報の書き込みや読み取りの性能が低下する恐れがある。
【０００７】
本発明は、上述した問題を鑑みて成されたものである。本発明の主な目的は、実装誤差を伴って配置された発光素子から放射されるレーザー光の光路を適切に補正することを可能とする光ピックアップ装置およびその製造方法を提供することにある。
【課題を解決するための手段】
【０００８】
本発明の光ピックアップ装置は、ハウジングと、第１発光源から第１レーザー光を放射する第１発光素子と、前記第１レーザー光とは波長が異なる第２レーザー光および第３レーザ光を第２発光源および第３発光源から放射する第２発光素子とを有するレーザー装置と、前記第１レーザ光および前記第２レーザ光を受光する第１受光領域と、前記第３レーザ光を受光する第２受光領域とを有する受光素子と、前記レーザ装置と前記受光素子との間に配置されて、前記受光素子の前記第１受光領域に前記第１レーザ光が照射されるように前記第１レーザ光の進行方向を傾斜させる光学補正素子と、前記光学補正素子を保持するホルダと、を具備し、前記ホルダは、弾性部材により押圧されることで、移動可能な状態で前記ハウジングに収納されることを特徴とする。
【０００９】
本発明の光ピックアップ装置の製造方法は、第１発光源から第１レーザー光を放射する第１発光素子と、前記第１レーザー光とは波長が異なる第２レーザー光および第３レーザ光を第２発光源及び第３発光源から放射する第２発光素子とを有するレーザー装置と、前記第１レーザ光および前記第２レーザ光を受光する第１受光領域と、前記第３レーザ光を受光する第２受光領域とを有する受光素子とをハウジングに収納する工程と、前記第２レーザー光が前記第１受光領域の所定領域に照射され、前記第３レーザー光が前記第２受光領域の所定領域に照射されるように、前記レーザー装置と前記受光素子との相対的な位置を調整する工程と、前記第１レーザー光が前記第１受光領域の所定領域に照射されるように、前記第１レーザー光の進行方向を傾斜させる光学補正素子の位置を調整する工程と、を具備し、前記光学補正素子の位置を調整する工程では、前記光学補正素子を保持するホルダを光路の途中に配置し、弾性部材の押圧力により前記ハウジングに収納させた前記ホルダを移動させることにより、前記第１レーザー光を前記第１受光領域の所定箇所に照射させることを特徴とする。
【発明の効果】
【００１０】
本発明によれば、実装誤差を吸収する光学補正素子をホルダで保持した状態で光ピックアップ装置に備え、このホルダを弾性部材で押圧固定して移動可能な状態でハウジングに収納させている。これにより、光学素子を保持するホルダをハウジングに組み込み、その後にホルダを移動させることにより、光学補正素子でレーザー光の光路を補正することが出来る。従って、光学素子の実装誤差が任意の値であったとしても、ホルダを移動させる簡易な作業によって、この光学素子から放射されるレーザー光を受光素子の所定箇所に照射させることができる。
【図面の簡単な説明】
【００１１】
【図１】本発明の光ピックアップ装置に組み込まれる光学系を示す図である。
【図２】本発明の光ピックアップ装置を示す図であり、（Ａ）は光ピックアップ装置に含まれるレーザー装置を示す断面図であり、（Ｂ）は各発光素子が実装される構造を示す断面図である。
【図３】本発明の光ピックアップ装置を示す図であり、各レーザー光の光路を示す図である。
【図４】本発明の光ピックアップ装置の構造を示す図であり、（Ａ）は斜視図であり、（Ｂ）はホルダが収納される箇所を示す斜視図であり、（Ｃ）はホルダを示す断面図である。
【図５】本発明の光ピックアップ装置の製造方法を示すフローチャートである。
【図６】本発明の光ピックアップ装置の製造方法を示す図であり、ハウジングにホルダを収納する方法を示す斜視図である。
【図７】本発明の光ピックアップ装置の製造方法を示す図であり、（Ａ）および（Ｂ）は、ＤＯＥを移動させてレーザー光が照射される位置を調整する方法を示す図である。
【図８】本発明の光ピックアップ装置の製造方法を示す図であり、（Ａ）、（Ｂ）および（Ｃ）は、ＤＯＥを光路に沿って直進させることでスポットの位置を調整する方法を示す図である。
【図９】本発明の光ピックアップ装置の製造方法を示す図であり、（Ａ）、（Ｂ）および（Ｃ）は、ＤＯＥを光路に沿って直進および回転させることでスポットの位置を調整する方法を示す図である。
【発明を実施するための形態】
【００１２】
＜第１の実施の形態：光ピックアップ装置の構成＞
図１を参照して、本形態の光ピックアップ装置３０に内蔵される光学系の構成を説明する。
【００１３】
光ピックアップ装置３０は、ディスク４８にレーザー光を照射し、ディスク４８の情報記録面で反射した戻り光であるレーザー光を検出することで、ディスク４８からの情報の読み出し、またはディスク４８への情報の書き込みを行う。光ピックアップ装置３０は、ディスク再生装置等の情報記録再生装置に実装されて用いられる。
【００１４】
具体的には、光ピックアップ装置３０は、レーザー装置１０と、回折格子３１と、ハーフミラー３６と、コリメートレンズ３４と、立ち上げミラー３２と、１／４波長板３５と、対物レンズ３７と、ＤＯＥ４０と、ＰＤＩＣ４２とを主要に備えている。
【００１５】
レーザー装置１０は、所定の周波数のレーザー光を放射する機能を有し、その詳細は図２を参照して後述する。
【００１６】
回折格子３１は、レーザー装置１０から放射されて光学補正素子を通過した各レーザー光を、０次回折光、＋１次回折光及び−１次回折光に分離する。
【００１７】
ハーフミラー３６は、レーザー装置１０から放射されて回折格子３１等を経由するレーザー光を−Ｘ側に反射する一方、ディスク４８により反射されたレーザー光（戻り光）を＋Ｘ側に透過させる。ディスク４８で反射した戻り光は、１／４波長板３５の作用により一旦円偏光光に変換された後に再び直線偏光光に変換されるので、レーザー装置１０から放射された時とは偏光方向が異なっており、＋Ｘ方向に透過する。
【００１８】
コリメートレンズ３４は、ハーフミラー３６にて反射されたレーザー光を平行光にする。また、コリメートレンズ３４はＸ方向に対して移動可能に設けられている。この様にすることで、温度変化に基づく対物レンズ３７の光学特性の劣化が補正可能となる。更には、コリメートレンズ３４を移動させることにより、ディスク４８の情報記録層を被覆するカバー層の厚さの違いや多層構造の光記録媒体における各情報記録層のカバー厚の違いによって生じる球面収差が補正される。
【００１９】
立ち上げミラー３２は、コリメートレンズ３４を透過したレーザー光が入射され、−Ｘ方向に進行するレーザー光を、＋Ｙ方向に反射する働きを有する。
【００２０】
１／４波長板３５は、立ち上げミラー３２で反射されたレーザー光を直線偏光光から円偏光光に変換する作用を有し、逆にディスク４８にて反射された戻り光を円偏光光から直線偏光光に変換する機能を備えている。
【００２１】
対物レンズ３７は、立ち上げミラー３２の直上に配置されており、立ち上げミラー３２にてＹ方向に立ち上げられたレーザー光を、ディスク４８の信号記録面に合焦させる働きを有する。本形態では、対物レンズ３７は、ＢＤ、ＤＶＤおよびＣＤの記録再生に用いられる第１レーザー光、第２レーザー光および第３レーザー光で共用される。
【００２２】
ＤＯＥ４０（Diffractive Optical Element：光学補正素子）は、所定の波長のレーザー光の進行方向を傾斜させることでＰＤＩＣ４２の所定箇所にレーザー光を照射させる機能を有する。本形態では、ＤＯＥ４０は、ＢＤ規格の第１レーザー光の進行方向を所定の角度で傾斜させ、他の規格（ＤＶＤ規格およびＣＤ規格）の第２レーザー光および第３レーザー光は単に透過させるのみで進行方向は傾斜させない。ＤＯＥ４０の詳細は図３等を参照して後述する。
【００２３】
ＰＤＩＣ４２は、光検出器として機能する信号検出用のフォトダイオード集積回路素子であり、各規格（ＢＤ規格、ＤＶＤ規格およびＣＤ規格）のレーザー光を検出すると共に、フォーカスサーボ用およびトラッキングサーボに用いられる。
【００２４】
次に、以上のように構成された光ピックアップ装置３０の読み出し動作および書き込み動作を説明する。レーザー装置１０からは、規格が異なる３つのレーザー光（ＢＤ規格、ＤＶＤ規格またはＣＤ規格）が放射されるが、これらのレーザー光の光路は以下に述べるように同一である。更にまた、以下の動作は、読み出しおよび書き込みで同様である。
【００２５】
先ず、レーザー装置１０から放射されたレーザー光は、回折格子３１を通過することで０次回折光、＋１次回折光および−１次回折光に分離される。これは、ＰＤＩＣ４２にてトラッキングサーボおよびフォーカスサーボを行うためである。
【００２６】
回折格子３１を通過したレーザー光は、ハーフミラー３６にて−Ｘ方向に反射され、その後、コリメートレンズ３４により平行光に変換され、立ち上げミラー３２で反射されることによりディスク４８に対して垂直方向（＋Ｙ方向）に進行する。
【００２７】
更に、レーザー光は、１／４波長板３５を通過することで円偏光光に変換された後に、対物レンズ３７の屈折作用や回折作用により、ディスク４８の信号記録面に合焦する。
【００２８】
ディスク４８の信号記録面により反射されたレーザー光（戻り光）は、対物レンズ３７、１／４波長板３５、立ち上げミラー３２およびコリメートレンズ３４を通過してハーフミラー３６に到る。ここで、戻り光であるレーザー光は、１／４波長板３５を通過する際に円偏光光から直線偏光光に変換されており、ハーフミラー３６を透過する。
【００２９】
ハーフミラー３６をレーザー光が透過するときに非点収差が付与され、その後にＤＯＥ４０を経由してＰＤＩＣ４２に到達する。ＤＯＥ４０をレーザー光が透過する際に、ＢＤ規格のレーザー光はＤＯＥ４０で所定の角度で進行方向が傾斜され、ＤＶＤ規格およびＣＤ規格のレーザー光は傾斜されずに直進して透過する。その後、レーザー光がＰＤＩＣ４２に照射されることで情報が読み出されると共に、フォーカスサーボおよびトラッキングサーボが行われる。
【００３０】
以上が光ピックアップ装置３０の構成および動作の説明である。
【００３１】
図２を参照して、上記した光ピックアップ装置に組み込まれるレーザー装置１０を説明する。図２（Ａ）は光ピックアップ装置３０に組み込まれるレーザー装置１０を示す断面図であり、図２（Ｂ）はレーザー装置１０に内蔵される発光素子を示す断面図である。
【００３２】
ここでは、互いに直交するＸ軸、Ｙ軸およびＺ軸を用いて説明を行う。Ｙ軸はレーザー装置１０から放出されるレーザー光が進行する方向に平行な軸であり、Ｘ軸は第１発光素子２０および第２発光素子２２が整列する方向に対して平行な軸である。
【００３３】
図２（Ａ）を参照して、レーザー装置１０はＣＡＮタイプのパッケージであり、略円盤形状の基板部１２と、基板部１２の上面に、基板に対して垂直に固定された板状のステム１６と、ステム１６に実装された２つの発光素子（第１発光素子２０、第２発光素子２２）と、これらの発光素子を被覆する被覆部１４（ＣＡＮタイプのケース）と、被覆部１４の上部に設けた開口部を塞ぐガラス板からなるカバー１５と、発光素子と電気的に接続されて外部に導出する端子部１８とを主要に備えている。
【００３４】
図２では、Ｚ方向に基板部１２が配置され、ステム１６は、基板から＋Ｙ方向に舌片状に伸びて固定されている。
【００３５】
レーザー装置１０は、端子部１８を経由して外部から駆動電流が供給されることで、第１発光素子２０または第２発光素子２２から所定の波長のレーザー光が放射される。この放射されるレーザー光は、カバー１５を透過して外部に放射される。
【００３６】
更にレーザー装置１０からは、各ディスクの読み出し又は書き込みの為に用いられる、波長が異なる３種類のレーザー光が放射される。具体的には、ＢＤ（Blu-ray Disc）規格またはＨＤ−ＤＶＤ（High-Definition Digital Versatile Disc）規格のディスク（光記録媒体）の読み取りあるいは書き込みに用いられる第１レーザー光、ＤＶＤ（Digital Versatile Disc）規格のディスクに用いられる第２レーザー光、ＣＤ（Compact Disc）規格のディスクに用いられる第３レーザー光が放射される。
【００３７】
ここで、上記した第１レーザー光は青紫色波長帯４００ｎｍ〜４２０ｎｍであり、第２レーザー光は赤色波長帯６４５ｎｍ〜６７５ｎｍであり、第３レーザー光は赤外波長帯７６５ｎｍ〜８０５ｎｍである。
【００３８】
図２（Ｂ）を参照して、ステム１６の実装面には、第１発光素子２０と、第２発光素子２２とが互いに所定距離で離間して実装されている。これらの発光素子は、吸着パッドを備えたコレットで上面を吸着されて輸送された後に、接着剤を介して実装面に固着されている。
【００３９】
第１発光素子２０は、セレン化亜鉛または窒化ガリウム等の半導体を材料とするレーザーダイオードであり、導電性ペースト等の接着材を介してステム１６の上面に固着されている。第１発光素子２０の端面には第１発光源２４が設けられており、この第１発光源２４から第１レーザー光が放射される。
【００４０】
第２発光素子２２は、ＧａＡｓまたはシリコン等の半導体を材料とするレーザーダイオードであり、第１発光素子２０と同様に導電性接着材を用いて、ステム１６の上面に固着されている。第１発光素子２０の端面には、２つの発光源（第２発光源２６、第３発光源２８）が設けられている。第２発光源２６からは第２レーザー光が放射され、第３発光源２８からは第３レーザー光が放射される。
【００４１】
第２発光源２６と第３発光源２８との距離Ｌ１０は９０μｍが一般的な設計値であり、製造時の誤差（±１μｍ）が考慮されると距離Ｌ１０は８９μｍ以上９１μｍ以下となる。第１発光源２４と第２発光源２６とは同一の第１発光素子２０に作り込まれるので、両者の距離Ｌ１０は精度が非常に高い。
【００４２】
第１発光素子２０に設けられる第１発光源２４と、第２発光源２６との距離Ｌ１２の設計値は、Ｌ１０と同様の９０μｍである。しかしながら、この精度は、両発光素子の固着に用いられるボンダーの精度に従うので、前工程（拡散工程）の精度による距離Ｌ１０よりも劣り、±１０μｍの誤差を含む。従って、距離Ｌ１２は８０μｍ以上１００μｍ以下となる。
【００４３】
このように、素子実装時に発生する誤差により、第１発光源２４と第２発光源２６との距離Ｌ１２は、Ｌ１０に比較すると大きな誤差を含むことに成るので、何ら対策を施さなければ、これらの発光源から放射されたレーザー光を１つのＰＤＩＣで受光することは困難である。本形態では、図１を参照して上記したように、ＰＤＩＣ４２の近傍にＤＯＥ４０を設けることで第１レーザー光の光路を補正してこの問題を解決している。
【００４４】
図３を参照して、ＤＯＥ４０により第１レーザー光の光路を調整する事項を説明する。この図では、所定の波長のレーザー光を放射する第１発光素子２０および第２発光素子２２と、これらの発光素子から放射されたレーザー光を受光するＰＤＩＣ４２と、両者の間に配置されたＤＯＥ４０とが示されている。
【００４５】
上記したように、第１発光素子２０と第２発光素子２２とは個別に実装されるので、両者の相対的な位置は実装時の±１０μｍ程度の誤差を含む。そして、この実装の誤差は、第１発光素子２０に設けられる第１発光源２４と、第２発光素子２２に含まれる第２発光源２６および第３発光源２８との距離の誤差となる。このことから、１つの半導体素子からなるＰＤＩＣ４２に作り込まれた受光領域にて、これらの発光源から発光されるレーザー光を受光することは容易ではない。更にまた、第１発光源２４から放射される第１レーザー光２５と、第２発光源２６から放射される第２レーザー光２７とを、１つの受光領域４４で共通に受光する場合、何れか一方のレーザー光の光路を途中で傾斜させる必要がある。
【００４６】
本形態では、特定の波長のレーザー光の進行方向を変えるＤＯＥ４０を、レーザー光の光路の途中に配置している。ＤＯＥ４０は、最も波長が短い第１レーザー光２５を回折することによりその進路を傾斜させ、第１レーザー光２５よりも波長が長い第２レーザー光２７および第３レーザーは進行方向を変えずにそのまま透過させる。具体的には、ＤＯＥ４０は、光ピックアップ装置３０の光軸に対して平行に進行する第１レーザー光２５を回折させることで、その進行方向を第２レーザー光２７に接近するように傾斜角θ１で傾斜させている。ＤＯＥ４０とＰＤＩＣ４２との距離は、第１発光源２４と第２発光源２６との距離Ｌ１２と、ＤＯＥ４０が第１レーザー光２５を傾斜させる角度により必然的に定まる。しかしながら、上記したように、距離Ｌ１２は発光素子の実装誤差により±１０μｍの範囲で変動するので、この変動を吸収するために本形態ではＤＯＥ４０の位置をハウジングに組み込んだ後に変更している。この事項は図７を参照して後述する。
【００４７】
ＰＤＩＣ４２は、２つの受光領域（受光領域４３、４４）を備えている。受光領域４３はＣＤ規格の第３レーザー光を受光する領域であり、受光領域４４はＢＤ規格およびＤＶＤ規格の第１レーザー光および第２レーザー光を受光する領域である。ＰＤＩＣ４２は、各レーザー光を受光して信号検出を行うと共に、フォーカスサーボおよびトラッキングサーボが行われる。
【００４８】
ＰＤＩＣ４２を用いて行われるサーボには、ディスクの記録面垂直方向の焦点合わせの為のフォーカスサーボと、ディスクの記録トラックに追従する半径方向の位置合わせのためのトラッキングサーボとが含まれる。フォーカスサーボとしては非点収差法または差動非点収差法が採用可能である。トラッキングサーボとしては、プッシュプル法、差動プッシュプル法、インラインＤＰＰ、ＤＰＰ法または３ビーム法が採用可能である。
【００４９】
図４を参照して、上記したＤＯＥがハウジングに備えられる構造を説明する。図４（Ａ）はＤＯＥが備えられるホルダ６４を示す斜視図であり、図４（Ｂ）は光ピックアップ装置３０を示す斜視図であり、図４（Ｃ）はＤＯＥが備えられる部分を示す断面図である。
【００５０】
図４（Ａ）を参照して、上記したＤＯＥ４０はホルダ６４に保持される。これにより、ハウジング内でホルダ６４を移動させることにより、ＤＯＥ４０の位置調整を行うことが可能となる。
【００５１】
ホルダ６４は、射出成形により一体的に成形された樹脂材料から成り、各種溝が形成される上面部６４Ｆと、この上面部６４Ｆの＋Ｙ側の端部に設けられた側壁部６４Ｇとを有している。また、図示されていないが、上面部６４Ｆの−Ｙ側の端部にも側壁部が設けられている。
【００５２】
ＤＯＥ４０は、側壁部６４Ｇの開口部に固定されている。ＤＯＥ４０を固定する方法としては、圧入、接着またはこれらの組み合わせが採用される。具体的には、側壁部６４Ｇの中央部付近に、ＤＯＥ４０と同等の大きさの開口部が設けられており、ＤＯＥ４０はこの開口部に嵌め込まれて固定されている。同様に、上面部６４Ｆの−Ｙ側の端部に設けられる側壁部にも開口部が設けられ、使用状況下に於いてはこの開口部をレーザー光が通過する。
【００５３】
側壁部６４Ｇの下部に於いて両側の部分は、両側から下方向に向かって幅が狭くなる、若干外側に向かって凸の曲面から成る接触面６４Ａとなっている。これにより、後述するように、ホルダ６４を回転移動が可能な状態でハウジングに収納できる。また、ホルダ６４の−Ｙ側の端部に設けられる不図示の側壁部も同様の接触面が設けられ、接触面６４Ａから前記側壁部に渡り、どこを切ってもこの形状でなる。ちょうど断面がこの形状のかまぼこの如き形である。
【００５４】
上面部６４Ｆには接着用または移動用の溝が複数設けられている。具体的には、上面部６４Ｆの＋Ｘ側の端部に接着溝６４Ｃが設けられ、−Ｘ側の端部に接着溝６４Ｂが設けられている。これらの接着溝６４Ｂ、６４Ｃは、ホルダ６４をハウジング５０に固着するための接着剤が塗布される部位である。また、調整溝６４Ｄは、ホルダ６４を、Ｙ軸を中心にして回転調整する際に、偏心ピン等の調整手段が当接するための溝である。更に、調整溝６４Ｅは、ホルダ６４の位置を光路方向（Ｙ方向）に移動させる際に、調整手段が当接するための部位である。
【００５５】
ここで、上記した接触面６４Ａは同一の円筒面の一部と成るような形状を呈している。これにより、図４（Ｂ）を参照して、後述するハウジング５０の傾斜面６０Ａと、ホルダ６４の接触面６４Ａとが接触しつつ、ホルダ６４を回転させることが容易となる。また、上記した接触部６４Ｈも円筒面の一部と成る形状を呈している。これにより、図４（Ｂ）を参照して、後述するバネ板６２と接触部６４Ｈとを接触させつつ、ホルダ６４を回転させることが容易となる。更に、接触面６４Ａと接触部６４Ｈとは、同一の円筒面の一部となる形状でも良いし、半径が異なる同心円筒形状の一部となる形状でも良い。これにより、ホルダ６４の回転が更に容易となる。
【００５６】
図４（Ｂ）を参照して、ハウジング５０は板状の底面部５２と底面部５２から厚み方向に伸びる側壁部５４から成り、光ピックアップ装置を構成する光学素子は側壁部５４に囲まれる空間に収納される。ここで、ＤＯＥ４０を保持するホルダ６４は側壁部に囲まれる収納領域６０に収納されており、ホルダ６４の上面はバネ板６２により押圧されている。
【００５７】
バネ板６２は、ホルダ６４の上面部６４Ｆにおいて上方に凸と成るように湾曲する接触部６４Ｈ（図４（Ａ）参照）を、上方から下方に押圧している。また、製造工程では、バネ板６２でホルダ６４をハウジング５０に押圧して仮留した後に、ホルダ６４の位置調整を行うので、バネ板６２の形状は、図４（Ａ）を参照して説明した各溝を被覆しないようになっている。また、製品としての光ピックアップ装置を見たら、図４（Ａ）を参照して説明した接着溝６４Ｂ、６４Ｃとハウジング５０の側壁との間には接着剤が塗布され、これにより、ホルダ６４に保持されるＤＯＥ４０はハウジング５０に対して位置決めされる。
【００５８】
図４（Ｃ）を参照して、ハウジング５０の収納領域６０には、センターラインの点線より、上方に向かって幅が広がるように傾斜する傾斜面６０Ａが設けられている。ホルダ６４を収納領域６０に収納したら、ホルダ６４の接触面６４Ａが、収納領域６０の傾斜面６０Ａに当接する。この状態で、バネ板６２がハウジング５０に固定されると、バネ板６２の下面がホルダ６４の接触部６４Ｈに接触し、これによりバネ板６２の弾性力によりホルダ６４の接触面６４Ａが収納領域６０の傾斜面６０Ａに押し付けられる。
【００５９】
このように、バネ板６２に接触するホルダの接触部６４Ｈは曲面であり、更にホルダの傾斜面６０Ａに接触する接触面６４Ａも曲面である。従って、バネ板６２によりホルダ６４を仮留した状態であっても、ホルダ６４は、Ｙ軸を中心にしてりに回転可能であり、更にＹ方向に対しても回転可能である。
【００６０】
また、図４（Ａ）に示すホルダ６４の−Ｙ側の端部に配置された側壁部にも接触面６４Ａが設けられ、この接触面６４Ａと接触する傾斜面６０Ａがハウジング５０の収納領域６０に設けられている。
【００６１】
＜第２の実施の形態：光ピックアップ装置の製造方法＞
第１の実施の形態で構成を説明した光ピックアップ装置の製造方法を説明する。
【００６２】
図５のフロチャートを参照して、本形態の光ピックアップ装置の製造方法は、ＤＯＥ４０を含む各種光学素子をハウジングに組み込むステップＳ１１と、レーザー装置とＰＤＩＣの位置決めを行うステップＳ１２と、ＤＯＥが嵌め込まれたホルダの位置を調整するステップＳ１３と、ホルダをハウジングに接着するステップＳ１４とを主要に備える。
【００６３】
ステップＳ１１では、先ず、光ピックアップ装置を構成する各種光学素子をハウジングに組み込む。具体的には、図１に示した光学素子（レーザー装置１０、回折格子３１、ハーフミラー３６、コリメートレンズ３４、立ち上げミラー３２、１／４波長板３５、対物レンズ３７、ＤＯＥ４０およびＰＤＩＣ４２）をハウジングに組み込む。ここで、レーザー装置１０等の光学素子は接着剤を用いてハウジングに固着される一方、ＤＯＥ４０はホルダに嵌め込まれて位置調整可能な状態でハウジングに備えられる。
【００６４】
図６を参照して、本工程では、ＤＯＥ４０を有するホルダ６４は位置調整可能な状態でハウジング５０に収納される。具体的には、ＤＯＥ４０はホルダ６４に保持されて用意され、ハウジング５０の収納領域６０にこのホルダ６４が収納される。また、ホルダ６４を覆うように、バネ板６２がネジ４６を用いてハウジング５０に固着される。これにより、ホルダ６４はバネ板６２の弾性力で収納領域６０に移動可能な状態で仮留される。収納領域６０にホルダ６４が収納される構成は、図４を参照して上述した通りである。
【００６５】
ステップＳ１２では、レーザー装置から放射されるレーザー光がＰＤＩＣの所定位置に照射されるように位置決めを行う。具体的には、図３を参照して、第２発光素子２２の第２発光源２６から放射された第２レーザー光２７がＰＤＩＣ４２の受光領域４４に照射され、且つ、第３発光源２８から放射された第３レーザー光２９がＰＤＩＣ４２の受光領域４３に照射されるように、ＰＤＩＣ４２の位置を調整する。同一の素子に設けられる第２発光源２６および第３発光源２８の位置精度は非常に高く±１μｍ程度であり、同一のＰＤＩＣ４２に形成される受光領域４３、４４の位置精度も同様に高い。よって、ＰＤＩＣ４２の位置調整を行うことにより、本工程の調整を行うことが可能となる。位置調整が終了した後に、ＰＤＩＣ４２は接着剤を用いてハウジングに固着される。尚、本工程では、第２レーザー光２７および第３レーザー光はＤＯＥ４０を通過するが、ＤＯＥ４０はこれらのレーザー光の進行方向には影響を及ぼさない。
【００６６】
ステップＳ１３では、ＤＯＥを保持するホルダの位置を調整し、ＢＤ規格の第１レーザー光をＰＤＩＣの所定の受光領域に照射させる。
【００６７】
先ず、図７（Ａ）を参照して、ＤＯＥ４０の初期位置について説明する。ＤＯＥ４０が配置されるべき位置は、第１発光素子２０、第２発光素子２２およびＰＤＩＣ４２の相対的位置関係により決定される。この図では、これらの素子の位置関係により算出されるＤＯＥ４０の位置を点線で示している。仮に、この箇所にＤＯＥ４０を仮留した場合、発光素子同士の実装誤差は±１０μｍの幅で発生するので、プラス側に実装誤差が発生した場合と、マイナス側に発生した場合とで、誤差を調整する際にＤＯＥ４０を移動するべき方向が異なってしまう。この様になると、製造工程が複雑化してしまう恐れがある。
【００６８】
そこで本形態では、本工程でＤＯＥ４０を位置調整する方向を一定にするために、予めＤＯＥ４０をＰＤＩＣ４２側にオフセットして配置している。これにより、図７（Ｂ）を参照して、第１発光素子２０と第２発光素子との実装誤差がプラスの値であった場合でも、マイナスの値であった場合でも、−Ｙ側にＤＯＥ４０を移動させることにより、この実装誤差を吸収して第１レーザー光２５を受光領域４４に照射させることが可能となる。図７（Ｂ）では、実装誤差を吸収するためにＤＯＥ４０を移動させる方向を矢印にて示している。
【００６９】
図８および図９を参照して、ＤＯＥ４０を保持するホルダ６４を位置調整する事項を説明する。図８はホルダ６４をＹ方向のみに直進移動することで位置調整を行う場合を示し、図９はホルダ６４を回転方向および直進方向の両方に移動させて位置調整を行う場合を示す。
【００７０】
図８を参照して、ホルダ６４を直進方向のみに移動することで、第１レーザー光のスポットを所定位置に調整する事項を説明する。図８（Ａ）はＰＤＩＣに形成される受光領域を示し、図８（Ｂ）はＤＯＥ４０を保持するホルダ６４を示す断面図であり、図８（Ｃ）はホルダ６４を抜き出して示す斜視図である。
【００７１】
図８（Ａ）を参照して、ここでは、第１レーザー光は３つの受光領域（４４Ａ、４４Ｂ、４４Ｃ）で受光され、第２レーザー光は受光領域４４Ａのみで受光され、第３レーザー光は受光領域４３で受光される。第１レーザー光ではサーボ方式として作動プッシュプル法（ＤＰＰ）が採用されるので、３つの受光領域（４４Ａ、４４Ｂ、４４Ｃ）が用いられる。
【００７２】
一方、第２レーザー光および第３レーザー光では１つの受光領域を用いる位相差法がサーボ方式として採用される。従って、第２レーザー光に関しては、受光領域４４Ａのみを用いてサーボが行われ、第３レーザー光に関しては、受光領域４３のみを用いてサーボが行われる。ここで、採用されるサーボの方式は上記したものに限られず、第１レーザー光のサーボ方式として１つの受光領域を用いるものが採用されても良いし、第２レーザー光および第３レーザー光のサーボ方式として３つの受光領域を用いるものが採用されても良い。
【００７３】
更に図８（Ａ）を参照して、レーザー装置から第１レーザー光をＰＤＩＣに放射すると、ＤＯＥ４０の位置調整を行う前では、紙面上にて受光領域４４Ａの上方に第１レーザー光のスポット６６Ａが形成されている。この様に、スポット６６Ａが受光領域４４Ａから外れる理由は、受光領域４４Ａに第２レーザー光のスポットが照射されるようにＰＤＩＣの位置が調整されており、更に、図７（Ａ）を参照して、第２レーザー光を放射する第２発光源２６と、第１レーザー光を放射する第１発光源２４とが離間しているからである。また、第１発光素子２０と第２発光素子２２との実装誤差が発生することも、この様になる理由の一つである。
【００７４】
更にまた、位置調整前のスポット６６Ａは紙面上受光領域４４Ａの上方に配置されているが、この様になる理由は、図７（Ａ）を参照して説明したように、ＤＯＥ４０を予め所定の方向にオフセットさせているからである。
【００７５】
図８（Ｂ）に示すように、ＤＯＥ４０を保持するホルダ６４はハウジング５０の収納領域６０に収納され、ホルダ６４の上面がバネ板６２で下方に押圧されることで、ホルダ６４の下部に設けた曲面形状の接触面６４Ａは、ハウジング５０の傾斜面６０Ａに接触している。これにより、ホルダ６４は移動可能な状態で収納領域６０に収められている。
【００７６】
図８（Ｃ）を参照して、本工程では、ＤＯＥ４０を保持するホルダ６４を＋Ｙ方向に移動させることにより、スポット６６Ａを受光領域４４Ａの所定箇所に移動させている。ホルダ６４の位置調整は、受光領域４４Ａからの出力が所定の値に成るまで、ホルダの上面に設けた調整溝６４Ｅを偏心ピン等の調整手段で押圧してホルダ６４を＋Ｙ方向に移動させることにより行われる。
【００７７】
上記調整により、図８（Ａ）を参照して、第１レーザー光が受光領域４４Ａの所定の箇所にスポット６６を形成するように成る。同時に、第１レーザー光の回折光も、受光領域４４Ｂ、４４Ｃの所定領域にスポットを形成する。
【００７８】
上記したホルダ６４の位置調整が終了した後は、図８（Ｃ）に示す接着溝６４Ｂ、６４Ｃに接着剤を塗布して硬化させることにより、ホルダ６４の収納領域６０内部における位置を固定する（ステップＳ１４）。
【００７９】
図９を参照して、ホルダ６４を回転方向および直進方向の両方に移動させる事で、第１レーザー光のスポットを調整する方法を説明する。図９（Ａ）は各受光領域とスポットとの位置を示す図であり、図９（Ｂ）はホルダ６４を示す断面図であり、図９（Ｃ）はホルダ６４を示す断面図である。
【００８０】
図９（Ａ）を参照して、本工程の調整を行う前段階では、第１レーザー光はスポット６６Ａまたはスポット６６Ｃを形成している。この紙面上にて、スポット６６Ａまたは６６Ｃは受光領域４４Ａに対して上方向および左右方向にずれている。従って、第１レーザー光が受光領域４４Ａにスポット６６を形成するためには、図９（Ｃ）に矢印で示すように、ＤＯＥ４０を保持するホルダ６４を＋Ｙ方向に移動させ且つＹ軸を中心にホルダ６４を回転させる必要がある。
【００８１】
図９（Ｂ）に示すように、バネ板６２の弾性力でホルダ６４は下方に押圧されることで、ホルダ６４の下部に設けた曲面形状の接触面６４Ａは、ハウジング５０の収納領域６０に設けた傾斜面６０Ａに接触している。更に、バネ板６２に押圧されるホルダ６４の上端部は、曲面形状の接触部６４Ｈである。従って、ホルダ６４は、収納領域６０の内部でＹ軸を中心に回転可能であり、更にＹ方向に対しても移動可能とされる。
【００８２】
本工程の調整方法では、先ず、ホルダ６４をＹ軸を、中心に回転させて、図９（Ａ）の紙面上にて、受光領域４４Ａの直上に第１レーザー光がスポット６６Ｂを形成するようにする。具体的には、図９（Ｃ）に示す調整溝６４Ｄに偏心ピンを当接さてホルダ６４を、Ｙ軸を中心に回転させる。上記したように、ホルダ６４は回転可能な状態で収納領域６０に配置されているので、ホルダ６４は収納領域６０の内部で容易に回転する。ここで、図９（Ａ）を参照して、調整前の第１レーザー光がスポット６６Ａに照射された場合と、スポット６６Ｃに照射された場合とでは、調整の為にホルダ６４を回転させる方向は逆と成る。
【００８３】
次に、図９（Ａ）を参照して、ホルダ６４を＋Ｙ方向に直進させることで、第１レーザー光のスポット６６Ｂを、受光領域４４Ａの中心付近のスポット６６に移動させる。具体的には、図９（Ｃ）を参照して、調整溝６４Ｅを偏心ピン等で＋Ｙ方向に押圧することで、ホルダ６４を＋Ｙ方向に移動させる。
【００８４】
上記工程により、第１レーザー光が受光領域４４Ａに適切にスポット６６を形成するように成る。また、上記調整により、第１レーザー光の回折光も受光領域４４Ｂ、４４Ｃの所定箇所に照射される。ここで、上記説明では、ホルダ６４を、Ｙ軸を中心に回転調整した後に＋Ｙ方向に直進移動させたが、この順番を逆にしても同様の効果が奏される。
【００８５】
上記工程が終了した後は、接着溝６４Ｂ、６４Ｃに接着剤を塗布して硬化させることで、収納領域６０の内部にてホルダ６４の位置が固定される。
【００８６】
以上の工程を経て、本形態の光ピックアップ装置が製造される。
【符号の説明】
【００８７】
１０   レーザー装置
１２   基板部
１４   被覆部
１５   カバー
１６   ステム
１８   端子部
２０   第１発光素子
２２   第２発光素子
２４   第１発光源
２５   第１レーザー光
２６   第２発光源
２７   第２レーザー光
２８   第３発光源
２９   第３レーザー光
３０   光ピックアップ装置
３１   回折格子
３２   立ち上げミラー
３４   コリメートレンズ
３５   １／４波長板
３６   ハーフミラー
３７   対物レンズ
４０   ＤＯＥ
４２   ＰＤＩＣ
４３   受光領域
４４，４４Ａ，４４Ｂ，４４Ｃ       受光領域
４６   ネジ
４８   ディスク
５０   ハウジング
５２   底面部
５４   側壁部
６０   収納領域
６０Ａ 傾斜面
６２   バネ板
６４   ホルダ
６４Ａ 接触面
６４Ｂ 接着溝
６４Ｃ 接着溝
６４Ｄ 調整溝
６４Ｅ 調整溝
６４Ｆ 上面部
６４Ｇ 側壁部
６４Ｈ 接触部
６６，６６Ａ，６６Ｂ，６６Ｃ       スポット
【図１】
2013196734.tif 000003
【図２】
2013196734.tif 000004
【図３】
2013196734.tif 000005
【図４】
2013196734.tif 000006
【図５】
2013196734.tif 000007
【図６】
2013196734.tif 000008
【図７】
2013196734.tif 000009
【図８】
2013196734.tif 000010
【図９】
2013196734.tif 000011